(57)【要約】【課題】丸型ストーブ（円筒形状）に関するストーブガードてあって且つ頂面に関しても、ガード機能を有して人の接近を阻止すること。ボルト桿・蝶ナット、ネジ等のガード本体とは独立した固定部材を使用することなく、蓋カバーと本体カバーとを固定連結することを課題とする。【課題解決手段】本体ガードは左右一対の半円筒１０Ａ、１０Ｂで構成し、  本体ガードの上半部に固定される取付支持部と、前記取付支持部の延長部分を外周方に向け折曲げて形成した水平面の延長水平部と、前記延長水平部の上面に形成され前記上面ガードの周面上部カバー部と係止自在であるロック部とを有する連結固定具を設け、連結固定具を介して上面ガードと本体ガードとを一体化することを特徴とする。【選択図】図２
2005024120.tif 000002
【特許請求の範囲】
【請求項１】
円形ストーブの頂面上方および周面上部とそれぞれ適宜の間隔を置いて包囲する上面ガードと、円形ストーブの周面と適宜の間隔を置いて包囲する本体ガードとより構成される円形ストーブガードであって、
前記本体ガードは左右一対の半円筒１０Ａ、１０Ｂで構成し、
前記本体ガードの上半部に固定される取付支持部と、前記取付支持部の延長部分を外周方に向け折曲げて形成した水平面の延長水平部と、前記延長水平部の上面に形成され前記上面ガードの周面上部カバー部と係止自在であるロック部とを有する連結固定具を設け、
前記連結固定具を介して上面ガードと本体ガードとを一体化することを特徴とする丸型ストーブガード。
【請求項２】
前記丸型ストーブガードの連結固定具のロック部は、
前記延長水平部の延長部分を上方に折曲げ更にその延長部分を内周方に折曲げ更にその延長部分を下方に折曲げてロック空間を形成するとともに、先端と延長水平部との間に上面ガードの水平桿の挿入を自在とする挿入間隙を形成し、前記延長水平部よりロック空間内へ係止突起を形成して、上面ガードの水平桿をロック空間に係止させる構造としたことを特徴とする請求項１に記載する、丸型ストーブガード。
【発明の詳細な説明】
【０００１】
【発明の属する技術分野】
本願発明は、丸型ストーブガードに関するものである。
【０００２】
【従来の技術】
石油ストーブ、電気ストーブの安全対策としてのストーブガードとして、特開平１０−１８５２１４号「ストーブ用ガード」（特許文献１）および第３０６７６４８号第３０６７６４８号「ストーブガード」（特許文献２）が存在する。
【０００３】
【特許文献１】特開平１０−１８５２１４号公開特許公報
【特許文献２】第３０６７６４８号第３０６７６４８号
【０００４】
【発明が解決しようとする課題】
上記の公知技術は、角型ストーブ（立方体形状）のストーブガードに関し且つ頂面を開放した形式である。本願発明は、丸型ストーブ（円筒形状）に関するストーブガードてあって且つ頂面に関しても、ガード機能を有して人の接近を阻止することを課題とする。
また、角型ストーブ（立方体形状）の４周面を包囲する４面のパネルを固定するために、ボルト桿・蝶ナット、ネジ等のガード本体とは独立した固定部材を使用している。これらの固定部材はガード本体と独立していることで、使用季節外の保管時に使用者が紛失するおそれがある。よって、ボルト桿・蝶ナット、ネジ等のガード本体とは独立した固定部材を使用することなく、蓋カバーと本体カバーとを固定連結することを課題とする。
【０００５】
【課題を解決するための手段】
本願発明は、円形ストーブの頂面上方および周面上部とそれぞれ適宜の間隔を置いて包囲する上面ガードと、円形ストーブの周面と適宜の間隔を置いて包囲する本体ガードとより円形ストーブガードを構成し、上面ガードと本体ガードとを一体化するための連結固定具を、前記本体ガードの上半部に固定される取付支持部と、前記取付支持部の延長部分を外周方に向け折曲げて形成した水平面の延長水平部と、前記延長水平部の上面に形成され前記上面ガードの周面上部カバー部と係止自在であるロック部とを有する構造とする。
【０００６】
【発明の実施の態様】
本体ガードは、垂直桿と半円水平桿とで構成した一対の半円筒ガードで構成する。
上面ガードの下端水平桿を、一対の半円筒ガードの上端部に溶着した連結固定具に係止して、上面ガードと本体ガードとを一体化する。
前記ロック部は、前記延長水平部の延長部分を上方に折曲げ更にその延長部分を内周方に折曲げ更にその延長部分を下方に折曲げてロック空間を形成するとともに、先端と延長水平部との間に上面ガードの水平桿の挿入を自在とする挿入間隙を形成し、前記延長水平部よりロック空間内へ係止突起を形成して、上面ガードの水平桿をロック空間に係止させる構造とする。
【０００７】
【実施例】
以下、図面に示す実施例にもとづいて、本願発明を詳細に説明する。
【０００８】
図１ないし図４を参照して、本発明の丸型ストーブガードＡは、円形ストーブＢの頂面上方および周面上部とそれぞれ適宜の間隔を置いて包囲する上面ガード２と、円形ストーブＢの周面と適宜の間隔を置いて包囲する本体ガード１とより構成する。
【０００９】
本体ガード１は、多数の垂直桿１１と上端部および下端部の半円水平桿１２とを溶着して一体化した一対の半円筒ガード１０Ａ、１０Ｂで構成する。垂直桿１１の上端延長部および下端延長部を内方へ折曲げて水平延長片１３を形成する。水平延長片１３の一部は円形ストーブＢの周面に達する長さに延長して、本体ガード固定ガイド１４，１５とする。
【００１０】
上面ガード２は、上面は放射方向の多数の水平桿２１と３本の円形桿２２とを溶着して一体化して構成している。水平桿２１の先端は下方へ折曲げて折曲げ片２３を形成している。
上面カード２の周面は、水平桿２１の延長部分を折曲げて傾斜桿２４、さらに折曲げて垂直桿２５を形成し、垂直桿２５の先端を連続する下方円弧桿２６、中間円弧桿２７および上方円弧桿２８を形成して、、垂直桿２４、傾斜桿２４、下方円弧桿２６、中間円弧桿２７および上方円弧桿２８により上面カード２の周面を構成している。
【００１１】
連結固定具３は、図７および図８を参照して、前記本体ガード１の垂直桿１１の上端に溶着（ｗ）固定される取付支持部４と、前記取付支持部４の延長部分を外周方に向け折曲げて形成した水平面の延長水平部５と、前記延長水平部５の上面に形成され前記上面ガード２の周面の下方円弧桿２６と係止自在であるロック部６で構成する。
【００１２】
前記ロック部６は、前記延長水平部の延長部分を上方に折曲げ更にその延長部分を内周方に折曲げ更にその延長部分を下方に折曲げてロック空間Ｈを形成するとともに、先端と延長水平部との間に上面ガードの水平桿の挿入を自在とする挿入間隙Ｇを形成し、前記延長水平部よりロック空間内へ係止突起７を形成して、上面ガードの水平桿をロック空間に係止させる構造とする。
【００１３】
図４を参照して、本体ガード１の上端部より内方へ突出する本体ガード固定ガイド１４を、円形ストーブＢのストーブ外筒３０の孔３１に係合させ、本体ガード１の下端部より内方へ突出する本体ガード固定ガイド１５を、ストーブ外筒３０の孔３２に係合させることにより、本体ガード１は、円形ストーブＢのストーブ外筒３０と一体化する。
かくして、左右一対の半円筒１０Ａ、１０Ｂは、円形ストーブＢのストーブ外筒３０および上面ガード２を介して互いに固定されて一体化するとともに、本発明の丸型ストーブガードＡは円形ストーブＢに固定されることとなる。
【００１４】
収納保管時には、連結固定具３と上部ガード２との係止を解くことで、上面ガード２と本体ガード１とを分離するとともに、本体ガード１の本体ガード固定ガイド１４、１５と円形ストーブＢのストーブ外筒３０の孔３１、３２との係合を解くことで、本体ガード１を構成する左右一対の半円筒１０Ａ、１０Ｂは互いに分離するとともに、円形ストーブＢのストーブ外筒３０から分離する。かくして、左右一対の半円筒１０Ａ、１０Ｂと上面ガード２は分離状態で保管可能とする。保管時には、連結固定具３は本体ガード１に固定されている。
【００１５】
【発明の効果】
本発明は、円形ストーブの頂面上方および周面上部とそれぞれ適宜の間隔を置いて包囲するストーブガードを提供するものであるが、移送時、保管時には、上面ガードと本体ガードを構成する左右一対の半円筒１０Ａ、１０Ｂとの３部品に分離可能とすることで、移送時、保管時の収納容積を縮小できる効果を有する。
さらに、上面ガードと本体ガードとを一体化するための連結固定具を、前記本体ガードの上半部に固定したので、ボルト桿・蝶ナット、ネジ等のガード本体とは独立した連結固定部材を使用する場合に比して、製作工程を簡素化するとともに、使用季節外の保管時や移送時に連結固定具を紛失するおそれがない効果を有する。
【図面の簡単な説明】
【図１】円形ストーブと本願発明の丸型ストーブガードとの位置関係を示す正面略図。
【図２】本願発明の丸型ストーブガードの正面図。
【図３】同じく平面図。
【図４】同じく縦断面図。
【図５】本体ガードの斜視図。
【図６】上面ガードの部分斜視面。
【図７】連結固定具の斜視図。
【図８】同じく正面図。
【図９】同じくロック作用を説明する正面図で、（ａ）図はロック作業の開始時を示し、（ｂ）図はロック作業の終了時を示す。
【符号の説明】
Ａ  丸型ストーブガード
Ｂ  円形ストーブ
Ｇ      挿入間隙
Ｈ    ロック空間
１  本体ガード
２  上面ガード
３  連結固定具
６    ロック部
【図１】
2005024120.tif 000003
【図２】
2005024120.tif 000004
【図３】
2005024120.tif 000005
【図４】
2005024120.tif 000006
【図５】
2005024120.tif 000007
【図６】
2005024120.tif 000008
【図７】
2005024120.tif 000009
【図８】
2005024120.tif 000010
【図９】
2005024120.tif 000011